(57)【要約】  打撃工具に抉り力が作用しても打撃部材と回転部材とのカジリ現象を抑制するために、貫通孔（３０ｃ）の周方向に沿う一対のハンマカム（３０ａ１，３０ａ２）の間に設けられる壁部（３０ｃ１）と、貫通孔（３０ｃ）の周方向に沿うハンマカム（３０ａ１，３０ａ２）の中央部に設けられる底部（３０ｃ２）との間に、壁部（３０ｃ１）よりも貫通孔（３０ｃ）の軸方向に沿う寸法が小さくかつ底部（３０ｃ２）よりも貫通孔（３０ｃ）の軸方向に沿う寸法が大きく、第１爪（１８ｄ１（１８ｄ２））と第２爪（３０ｅ１（３０ｅ２））とが係合したときにスピンドルが押し付けられる傾斜部（５０）を設けた。
2016017545.tif 000002
【特許請求の範囲】
【請求項１】
先端工具に回転力および打撃力を与える打撃工具であって、
モータと、前記モータにより回転されるスピンドルと、
前記先端工具が取り付けられるアンビルと、
前記スピンドルの回転力を前記アンビルの回転力および打撃力に変換するハンマと、を備え、
前記ハンマは、前記アンビルの第１爪と係合する第２爪と、前記スピンドルが貫通する貫通孔と、前記貫通孔の径方向外側に窪んだ複数のカム溝と、前記貫通孔の周方向において前記複数のカム溝の間に設けられた壁部と、前記貫通孔の周方向において前記カム溝の中央部に位置する底部と、を有し、
前記貫通孔の周方向において、前記第２爪は前記底部と前記壁部との間に設けられる、打撃工具。
【請求項２】
径方向内側において周方向の中央部分に設けられた前記第２爪の頂部が前記底部と前記壁部との間に位置する、請求項１に記載の打撃工具。
【請求項３】
前記第２爪は複数設けられ、前記複数の第２爪のうちの少なくとも１つが前記底部と前記壁部との間に設けられる、請求項１に記載の打撃工具。
【請求項４】
前記第１爪および前記第２爪を３つずつ設けた、請求項３に記載の打撃工具。
【請求項５】
先端工具に回転力および打撃力を与える打撃工具であって、
モータと、
前記モータにより回転されるスピンドルと、
前記先端工具が取り付けられるアンビルと、
前記スピンドルの回転力を前記アンビルの回転力および打撃力に変換するハンマと、を備え、
前記ハンマは、前記アンビルの第１爪と係合する第２爪と、前記スピンドルが貫通する貫通孔と、前記貫通孔の径方向外側に窪んだ一対のカム溝と、前記貫通孔の周方向において前記一対のカム溝の間に設けられた壁部と、前記貫通孔の周方向において前記一対のカム溝の夫々の中央部に位置する底部と、前記貫通孔の周方向において前記壁部と前記底部との間に位置しそれらを繋ぐ傾斜部と、を有し、
前記貫通孔の周方向において前記壁部、前記傾斜部、前記底部、前記傾斜部、前記壁部が並んで設けられて前記カム溝を形成し、
前記第２爪の周方向における中央部が一方の前記傾斜部の領域内に位置すると共に、前記第１爪と前記第２爪とが係合したときに他方の前記傾斜部に前記スピンドルが押し付けられるように構成した、打撃工具。
【請求項６】
前記第２爪は複数設けられ、前記複数の第２爪のうちの少なくとも１つの周方向における中央部が一方の前記傾斜部の領域内に位置すると共に、前記第１爪と前記第２爪とが係合したときに他方の前記傾斜部に前記スピンドルが押し付けられるように構成した、請求項５に記載の打撃工具。
【請求項７】
前記第１爪および前記第２爪を３つずつ設けた、請求項６に記載の打撃工具。
【請求項８】
先端工具に回転力および打撃力を与える打撃工具であって、
モータと、
前記モータにより回転されるスピンドルと、
第１爪を有し、前方側に前記先端工具が取り付けられるアンビルと、
前記アンビルの後方側に設けられ、前記第１爪と係合する第２爪と、前方側が開口し後方側に底部を有し前記スピンドルと共に鋼球を保持するカム溝と、を有し、前記スピンドルの回転力を前記アンビルの回転力および打撃力に変換するハンマと、を備え、
前記第１爪と前記第２爪とが係合した状態のもとで、前記スピンドルの軸方向から見て前記第１爪が前記カム溝の前記底部と重なるように構成した、打撃工具。
【請求項９】
前記第１爪が複数設けられ、前記複数の第１爪のうちの少なくとも１つが前記底部と重なる、請求項８に記載の打撃工具。
【請求項１０】
前記第１爪と前記第２爪とが係合した状態のもとで、前記第１爪が前記回転部材の軸方向から見て前記鋼球と重なる、請求項８に記載の打撃工具。
【請求項１１】
前記第１爪および前記第２爪を３つずつ設けた、請求項１０に記載の打撃工具。
【発明の詳細な説明】
【技術分野】
【０００１】
本発明は、回転部材の回転力を出力部材の回転力および打撃力に変換する打撃部材を備えた打撃工具に関する。
【背景技術】
【０００２】
回転部材の回転力を出力部材の回転力および打撃力に変換する打撃部材を備えた打撃工具の一例が、特許文献１に記載されている。特許文献１に記載された打撃工具は、スピンドル（回転部材）の回転力をアンビル（出力部材）の回転力および打撃力に変換するハンマ（打撃部材）を備えている。スピンドルの外周部分には一対のスピンドルカムが設けられ、ハンマの内周部分には一対のハンマカムが設けられ、これらのカムの間には、それぞれスチールボールが配置されている。【０００３】
ハンマのアンビル側には、周方向に等間隔で２つ並べられたハンマ爪が設けられ、アンビルのハンマ側には、周方向に等間隔で２つ並べられたアンビル爪が設けられている。これらのハンマ爪およびアンビル爪はそれぞれ互いに係合し、これによりハンマの回転力がアンビルに伝達される。アンビルの軸方向に沿うハンマ側とは反対側には、ドライバビット等の先端工具が取り付けられる。【０００４】
そして、先端工具に所定の負荷が加わると、スチールボールがスピンドルカムおよびハンマカムに倣って転動する。これによりハンマは、コイルばねのばね力に抗してアンビルから離間した後、コイルばねのばね力によってアンビルに向けて近接する。このときハンマは、アンビルから離間したときにアンビルに対して相対回転し、アンビルに近接したときにハンマ爪とアンビル爪とが互いに係合して衝突する。このハンマ爪とアンビル爪とが開放および係合を繰り返すことで、先端工具に回転方向の打撃力が発生する。
【先行技術文献】
【特許文献】
【０００５】
【特許文献１】実開平０１−１７０５７０号公報
【発明の概要】
【発明が解決しようとする課題】
【０００６】
ところで、打撃工具の回転軸と締結部材（例えばねじ）の回転軸とが一致しない状態のもとでねじ締め作業を行うと、打撃工具の回転軸に抉り力が作用する。これにより、ハンマの内周部分にスピンドルの外周部分が部分的に強く押し付けられる。この場合には、ハンマとスピンドルとが互いに固着して相対回転が困難になる、所謂カジリ現象が発生し易くなる。【０００７】
図１６，図１７は従前の打撃工具のハンマ爪とアンビル爪との位置関係を説明する説明図である。上述の特許文献１に記載された打撃工具においては、図１６，図１７に示すように、ハンマ１００の内周部分に２つのハンマカム１０１ａ，１０１ｂを設け、ハンマ１００のアンビル側（図中手前側）に２つのハンマ爪１０２ａ，１０２ｂを設けている。ハンマ１００の周方向に沿う２つのハンマカム１０１ａ，１０１ｂの中央部ＣＰに対応する部分には、ハンマ１００の軸心ＨＣを中心に対向するよう２つのハンマ爪１０２ａ，１０２ｂが配置されている。【０００８】
正常な打撃が行われると、図１７に示すように、ハンマ１００のハンマ爪１０２ａがアンビル１０４のアンビル爪１０５ａに衝突して打撃力Ｆ１が発生すると共にハンマ爪１０２ｂがアンビル爪１０５ｂに衝突して打撃力Ｆ３が発生する。これらの打撃力は同時に発生するため、ハンマ１００の軸心ＨＣとスピンドル１０３の軸心ＳＣとがずれることはなく、カジリ現象が発生し難い。【０００９】
一方、図１６に示すように、打撃工具の回転軸に抉り力が作用すると、図中破線に示すように、ハンマ１００の軸心ＨＣとスピンドル１０３の軸心ＳＣとがずれて、例えば、ハンマ爪１０２ａのみが、アンビル１０４のアンビル爪１０５ａに衝突して打撃力Ｆ１が発生する。この瞬間は、ハンマ爪１０２ｂとアンビル爪１０５ｂは衝突しない。そのため、打撃力Ｆ１と釣り合う打撃力Ｆ３が発生しないため、打撃力Ｆ１の反力Ｆ２がスピンドル１０３に作用して、スピンドル１０３がハンマカム１０１ａ，１０１ｂの間の壁部に強く押し付けられる。ここで、反力Ｆ２が掛かるハンマカム１０１ａ，１０１ｂの間の壁部には角部Ｃが設けられているため、当該角部Ｃには強い荷重が生じ、よってカジリ現象が発生し易かった。【００１０】
また、２つのハンマ爪１０２ａ，１０２ｂがハンマカム１０１ａ，１０１ｂの間の壁部の位置にある構成も考えられる。この構成において、一方のハンマ爪のみがアンビル爪に衝突した場合（例えば図１６において右側の壁部の位置に位置するハンマ爪が衝突した場合）には、当該衝突により発生する打撃力の反力は、スピンドル１０３を介してハンマカム１０１ａの内側中央部に強く押し付けられる。ここで、ハンマ１００の径方向内側でかつハンマカム１０１ａの中央部は、スピンドル１０３との接触面積が最も小さい部分（ハンマカム底部）となっている。したがって、内側中央部の単位面積当たりの面圧は大きく、よってカジリ現象が発生し易かった。【００１１】
また、スピンドルカムやハンマカムには、スチールボールの転動をスムーズにするために所定量のグリス（潤滑剤）が塗布されている。すなわちハンマを収容するハンマケース内にはグリスが充填されている。一方、ハンマカムの軸方向端部には、スチールボールを覗き込むことができる比較的大きな開口部が設けられている。これにより、ハンマがアンビルに対して後退動作および前進動作をする度、つまり打撃動作をする度に、その振動によりスチールボールやスピンドルカム、ハンマカムに付着したグリスが外部に漏出することがある。【００１２】
上述の特許文献１に記載された打撃工具においては、図１８に示すように、打撃動作時においてハンマの周方向に沿うハンマカムの中央部分が大きく開口した状態となる。ハンマの周方向に沿うハンマカムの中央部分にはスチールボールが配置される。したがって、特許文献１に記載の打撃工具においては、打撃動作時の振動によりスチールボールやスピンドルカム、ハンマカムに付着したグリスが外部に漏出し易い構造となっている。外部にグリスが漏出した場合には、スチールボールのスムーズな転動が困難となり、ひいてはスピンドルカムやハンマカム，さらにはスチールボールが早期に摩耗するといった問題を生じ得る。【００１３】
本発明の目的は、打撃工具に抉り力が作用しても、打撃部材と回転部材とのカジリ現象を抑制し得る打撃工具を提供することにある。【００１４】
また、本発明の目的は、鋼球に付着したグリスがカム溝の外部に漏出されるのを抑制できる打撃工具を提供することにある。
【課題を解決するための手段】
【００１５】
本発明の一態様では、先端工具に回転力および打撃力を与える打撃工具であって、モータと、前記モータにより回転されるスピンドルと、前記先端工具が取り付けられるアンビルと、前記スピンドルの回転力を前記アンビルの回転力および打撃力に変換するハンマと、を備え、前記ハンマは、前記アンビルの第１爪と係合する第２爪と、前記スピンドルが貫通する貫通孔と、前記貫通孔の径方向外側に窪んだ複数のカム溝と、前記貫通孔の周方向において前記複数のカム溝の間に設けられた壁部と、前記貫通孔の周方向において前記カム溝の中央部に位置する底部と、を有し、前記貫通孔の周方向において、前記第２爪は前記底部と前記壁部との間に設けられる。【００１６】
本発明の他の態様では、径方向内側において周方向の中央部分に設けられた前記第２爪の頂部が前記底部と前記壁部との間に位置する。【００１７】
本発明の他の態様では、前記第２爪は複数設けられ、前記複数の第２爪のうちの少なくとも１つが前記底部と前記壁部との間に設けられる。【００１８】
本発明の他の態様では、前記第１爪および前記第２爪を３つずつ設けた。【００１９】
本発明の他の態様では、先端工具に回転力および打撃力を与える打撃工具であって、モータと、前記モータにより回転されるスピンドルと、前記先端工具が取り付けられるアンビルと、前記スピンドルの回転力を前記アンビルの回転力および打撃力に変換するハンマと、を備え、前記ハンマは、前記アンビルの第１爪と係合する第２爪と、前記スピンドルが貫通する貫通孔と、前記貫通孔の径方向外側に窪んだ複数のカム溝と、前記貫通孔の周方向において前記複数のカム溝の間に設けられた壁部と、前記貫通孔の周方向において前記カム溝の中央部に位置する底部と、を有し、前記第２爪の周方向の中央部が、前記底部及び前記壁部から周方向にずれて位置する。【００２０】
本発明の他の態様では、前記第２爪は複数設けられ、前記複数の第２爪のうちの少なくとも１つの周方向における中央部が一方の前記傾斜部の領域内に位置すると共に、前記第１爪と前記第２爪とが係合したときに他方の前記傾斜部に前記スピンドルが押し付けられるように構成した。【００２１】
本発明の他の態様では、前記第１爪および前記第２爪を３つずつ設けた。【００２２】
本発明の他の態様では、先端工具に回転力および打撃力を与える打撃工具であって、モータと、前記モータにより回転されるスピンドルと、第１爪を有し、前方側に前記先端工具が取り付けられるアンビルと、前記アンビルの後方側に設けられ、前記第１爪と係合する第２爪と、前方側が開口し後方側に底部を有し前記スピンドルと共に鋼球を保持するカム溝と、を有し、前記スピンドルの回転力を前記アンビルの回転力および打撃力に変換するハンマと、を備え、前記第１爪と前記第２爪とが係合した状態のもとで、前記スピンドルの軸方向から見て前記第１爪が前記カム溝の前記底部と重なるように構成した。【００２３】
本発明の他の態様では、前記第１爪が複数設けられ、前記複数の第１爪のうちの少なくとも１つが前記底部と重なる。【００２４】
本発明の他の態様では、前記第１爪と前記第２爪とが係合した状態のもとで、前記第１爪が前記回転部材の軸方向から見て前記鋼球と重なる。【００２５】
本発明の他の態様では、前記第１爪および前記第２爪を３つずつ設けた。
【発明の効果】
【００２６】
本発明によれば、打撃工具に抉り力が作用しても、打撃部材と回転部材とのカジリ現象を抑制して、打撃工具の長期に亘る安定動作を実現できる。【００２７】
本発明によれば、第１爪と第２爪とが係合して打撃動作をした場合において、鋼球に付着したグリスの外部への漏出を抑制することができる。これにより、打撃工具の長期に亘る安定動作を実現できる。
【図面の簡単な説明】
【００２８】
【図１】本発明の打撃工具を示す斜視図である。
【図２】図１の打撃工具の部分断面図である。
【図３】実施の形態１の打撃機構の分解斜視図である。
【図４】（ａ）はハンマの斜視図，（ｂ）は貫通孔の展開図である。
【図５】ハンマの後退動作を説明する拡大断面図である。
【図６】（ａ），（ｂ）は、図３の打撃機構を軸方向から見た動作説明図である。
【図７】実施の形態２の打撃機構を示す図３に対応した図である。
【図８】（ａ），（ｂ），（ｃ）は、図７の打撃機構を軸方向から見た動作説明図である。
【図９】（ａ），（ｂ），（ｃ）は、実施の形態３の打撃機構を軸方向から見た動作説明図である。
【図１０】実施の形態４のハンマの貫通孔の展開図である。
【図１１】（ａ），（ｂ）は、図３の打撃機構に図１０のハンマを適用した打撃機構を軸方向から見た動作説明図である。
【図１２】（ａ），（ｂ）は、実施の形態５の打撃機構を示す図１１の対応図である。
【図１３】実施の形態６の打撃機構の分解斜視図である。
【図１４】（ａ），（ｂ）は、図１３の打撃機構を軸方向から見た動作説明図である。
【図１５】（ａ），（ｂ）は、実施の形態７の打撃機構を示す図１１の対応図である。
【図１６】従前の打撃工具のハンマ爪とアンビル爪との位置関係を説明する説明図である。
【図１７】従前の打撃工具のハンマ爪とアンビル爪との位置関係を説明する説明図である。
【図１８】従前の打撃機構を軸方向から見た図である。
【発明を実施するための形態】
【００２９】
以下、本発明の実施の形態１について、図面を用いて詳細に説明する。
【００３０】
図１は本発明の打撃工具を示す斜視図を、図２は図１の打撃工具の部分断面図を、図３は実施の形態１の打撃機構の分解斜視図を、図４（ａ）はハンマの斜視図，（ｂ）は貫通孔の展開図を、図５はハンマの後退動作を説明する拡大断面図を、図６（ａ），（ｂ）は図３の打撃機構を軸方向から見た動作説明図をそれぞれ示している。
【００３１】
図１および図２に示すように、打撃工具としてのインパクトドライバ１０は、充電および放電が可能な電池セルを収容した電池パック１１と、電池パック１１から電力が供給されて駆動される電動モータ１２とを備えている。電動モータ１２は、電気エネルギを運動エネルギに変換する駆動源である。インパクトドライバ１０は、プラスチック等よりなるケーシング１３を備え、電動モータ１２はケーシング１３（ハウジング）の内部に設けられている。
【００３２】
電動モータ１２は、軸線Ａを中心に回転する回転軸１４を備えている。回転軸１４は、トリガスイッチ１５を操作することで正方向または逆方向に回転される。つまり、トリガスイッチ１５を操作することで、電池パック１１から電動モータ１２に電力が供給される。なお、回転軸１４の回転方向は、トリガスイッチ１５の近傍に設けられた正逆切替レバー１６を操作することで切り替えられる。
【００３３】
インパクトドライバ１０は、その先端側（前方側）でドライバビット等の先端工具１７を支持するアンビル（出力部材）１８を備えている。アンビル１８は、ケーシング１３（ハンマケース）の内側に装着されたスリーブ１９によって回転自在に支持されている。なお、スリーブ１９の内側には、アンビル１８の回転をスムーズにするグリス（図示せず）が塗布されている。そして、アンビル１８は軸線Ａを中心に回転し、アンビル１８の先端部分には、着脱機構２０を介して先端工具１７が着脱自在に設けられている。
【００３４】
ケーシング１３（ハンマケース）の内部で、かつ軸線Ａに沿う方向の電動モータ１２とアンビル１８との間には、減速機２１が設けられている。減速機２１は、電動モータ１２の回転力をアンビル１８に伝達する動力伝達装置であり、減速機２１は、所謂シングルピニオン型の遊星歯車機構により構成されている。減速機２１は、回転軸１４と同軸に配置されたサンギヤ２２と、サンギヤ２２の周囲を取り囲むように配置されたリングギヤ２３と、サンギヤ２２およびリングギヤ２３の双方に噛み合わされた複数のプラネタリギヤ２４と、各プラネタリギヤ２４を自転可能かつ公転可能に支持するキャリヤ２５とを有している。そして、リングギヤ２３はケーシング１３（ハンマケース）に固定され、回転不能となっている。
【００３５】
キャリヤ２５には、当該キャリヤ２５とともに軸線Ａを中心に回転するスピンドル（回転部材）２６が一体に設けられている。つまり、電動モータ１２の回転軸１４，減速機２１，スピンドル２６，アンビル１８は、軸線Ａを中心にそれぞれ配置されている。スピンドル２６は、軸線Ａに沿う方向のアンビル１８と減速機２１との間に設けられ、スピンドル２６におけるアンビル１８側の先端部分には、軸線Ａに沿う方向に突出された軸部２６ａが形成されている。
【００３６】
ケーシング１３（ハウジング）の内部で、かつ軸線Ａに沿う方向の電動モータ１２と減速機２１との間には、略椀状に形成されたホルダ部材２７が設けられている。ホルダ部材２７の中心部分には軸受２８が装着され、軸受２８はスピンドル２６における電動モータ１２側の基端部分を回転自在に支持している。また、スピンドル２６におけるアンビル１８側の外周部分には、一対の（２つの）溝状のスピンドルカム２６ｂ１，２６ｂ２が設けられている。スピンドルカム２６ｂ１，２６ｂ２の内部には、スチールボール（鋼球）２９の略半分がそれぞれ入り込んでいる。なお、スピンドルカム２６ｂ１，２６ｂ２にも、スチールボール２９の転動をスムーズにするグリス（図示せず）が塗布されている。すなわち、後述するハンマ３０を収容するケーシング１３（ハンマケースとホルダ部材２７で形成される空間）には潤滑剤としてのグリスが充填されている。
【００３７】
アンビル１８におけるスピンドル２６側の基端部分には、軸線Ａと同軸の保持孔１８ａが設けられている。保持孔１８ａには、スピンドル２６の軸部２６ａが回転自在に挿入されている。つまり、アンビル１８とスピンドル２６とは、軸線Ａを中心に相対回転可能となっている。なお、軸部２６ａと保持孔１８ａとの間にも、両者の相対回転をスムーズにするグリス（図示せず）が塗布されている。また、アンビル１８には軸線Ａと同軸に取付孔１８ｂが設けられている。取付孔１８ｂは、ケーシング１３（ハンマケース）の外部に向けて開口され、先端工具１７の基端部分を着脱するために設けられている。
【００３８】
スピンドル２６の周囲には、略環状に形成されたハンマ（打撃部材）３０が設けられている。ハンマ３０は、軸線Ａに沿う方向の減速機２１とアンビル１８との間（アンビル１８の後方側）に配置されている。ハンマ３０は、スピンドル２６に対して相対回転可能であり、かつ軸線Ａに沿う方向に相対移動可能となっている。なお、図２はハンマ３０が最も前方側（アンビル１８側）に移動した状態を示している。この時、後述するスチールボール２９は、後述するハンマカム３０ａ１，３０ａ２の軸線Ａに沿う方向における最も後方側（反アンビル１８側）の底部に位置している。ハンマ３０の内周部分には、軸線Ａに沿う方向に延ばされた一対の（２つの）溝状のハンマカム（カム溝）３０ａ１，３０ａ２が形成されている。ハンマカム３０ａ１，３０ａ２の内部には、スチールボール２９の略半分がそれぞれ入り込んでいる。なお、ハンマカム３０ａ１，３０ａ２にも、スチールボール２９の転動をスムーズにするグリス（図示せず）が塗布されている。
【００３９】
このようにして、スピンドルカム２６ｂ１とハンマカム３０ａ１とを１組として、一方のスチールボール２９が保持されている。また、スピンドルカム２６ｂ２とハンマカム３０ａ２とを１組として、他方のスチールボール２９が保持されている。ここで、スチールボール２９は金属製の転動体で構成されている。そのため、ハンマ３０は、スピンドル２６に対して、スチールボール２９が転動可能な範囲で軸線Ａに沿う方向に移動可能となっている。また、ハンマ３０は、スピンドル２６に対して、スチールボール２９が転動可能な範囲で軸線Ａを中心として円周方向に移動可能となっている。
【００４０】
スピンドル２６の周囲であって、かつ軸線Ａに沿う方向の減速機２１とハンマ３０との間には、鋼板よりなる環状プレート３１が設けられている。また、軸線Ａに沿う方向の環状プレート３１とハンマ３０との間には、コイルばね３２が圧縮された状態で設けられている。キャリヤ２５は、軸受２８およびホルダ部材２７に接触することで、軸線Ａに沿う方向への移動が規制されており、コイルばね３２の押圧力はハンマ３０に加えられている。これによりハンマ３０は、コイルばね３２の押圧力により、軸線Ａに沿う方向でアンビル１８に向けて押されている。
【００４１】
スピンドル２６の周囲であって、かつ環状プレート３１の径方向内側には、環状のストッパ３３が設けられている。ストッパ３３は、ゴム等の弾性体により形成され、スピンドル２６に取り付けられている。そして、ストッパ３３は、ハンマ３０の軸線Ａに沿う減速機２１側への移動量を規制するようになっている。
【００４２】
ここで、先端工具１７に打撃力を与える打撃機構ＳＭは、スピンドル２６，ハンマ３０，アンビル１８，スチールボール２９およびコイルばね３２により形成されている。そして、アンビル１８の回転方向への負荷が大きくなると、ハンマ３０の第２爪３０ｅ１，３０ｅ２（ハンマ爪）とアンビル１８の第１爪１８ｄ１，１８ｄ２（アンビル爪）（何れも図３参照）とが、開放および係合を高速で繰り返して、これにより先端工具１７に打撃力が発生する。ここで、ハンマ３０の重量はアンビル１８の重量よりも大きく設定されており、ハンマ３０は、スピンドル２６の回転力をアンビル１８に伝達するとともに、スピンドル２６の回転力をアンビル１８の回転方向の打撃力に変換する。ただし、ハンマ３０の重量をアンビル１８の重量よりも小さく設定しても良い。
【００４３】
次に、ハンマ３０とアンビル１８との係合構造について、図３ないし図５を用いて詳細に説明する。
【００４４】
ハンマ３０は、略円筒形状に形成された本体部３０ｂを備えている。本体部３０ｂの径方向内側には、軸線Ａに沿う方向に延び、スピンドル２６が回動自在に貫通する貫通孔３０ｃが設けられている。本体部３０ｂのアンビル１８側は先細り形状となっている。つまり、本体部３０ｂのスピンドル２６側は大径とされ、本体部３０ｂのアンビル１８側は小径とされている。ここで、本体部３０ｂのスピンドル２６側（大径側）の直径寸法は、約４０ｍｍに設定されている。
【００４５】
本体部３０ｂのアンビル１８側にはアンビル１８と対向する対向平面３０ｄが設けられている。対向平面３０ｄには、軸線Ａに沿う方向でかつアンビル１８側に突出された２つの第２爪３０ｅ１，３０ｅ２が一体に設けられている。これらの第２爪３０ｅ１，３０ｅ２は、対向平面３０ｄの周方向に沿って１８０度間隔で配置され、軸線Ａと交差する方向に沿う断面形状が略扇形となっている。そして、第２爪３０ｅ１，３０ｅ２の先細りとなった先端側、つまり扇形の径方向内側は、ハンマ３０の径方向内側、つまり貫通孔３０ｃに向けられている。
【００４６】
第２爪３０ｅ１，３０ｅ２のハンマ３０の周方向に沿う一方側には、第１接触平面ＳＦ１が設けられている。また、第２爪３０ｅ１，３０ｅ２のハンマ３０の周方向に沿う他方側には、第２接触平面ＳＦ２が設けられている。そして、第１接触平面ＳＦ１には、後述するアンビル１８の第１爪１８ｄ１，１８ｄ２の第４接触平面ＳＦ４が略全面で接触し、第２接触平面ＳＦ２には、アンビル１８の第１爪１８ｄ１，１８ｄ２の第３接触平面ＳＦ３が略全面で接触するようになっている。
【００４７】
また、ハンマ３０の径方向外側でかつ周方向に沿う方向の第２爪３０ｅ１，３０ｅ２の幅寸法は約１５ｍｍに設定されている。これにより、ハンマ３０の周方向に沿って隣り合う第２爪３０ｅ１，３０ｅ２の間には、アンビル１８の第１爪１８ｄ１，１８ｄ２が余裕を持って入り込めるようになっている。
【００４８】
ハンマ３０の内周部分、つまり貫通孔３０ｃには、当該貫通孔３０ｃを中心に対向するようにして一対のハンマカム（カム溝）３０ａ１，３０ａ２が設けられている。ハンマカム３０ａ１，３０ａ２は、貫通孔３０ｃに対して径方向外側に窪んで設けられ、ハンマカム３０ａ１，３０ａ２の径方向に沿う深さ寸法は、スチールボール２９の半径寸法に略等しい寸法となっている。ハンマカム３０ａ１，３０ａ２を貫通孔３０ｃの径方向内側から見ると、図４（ｂ）に示すように略Ｕ字形状に形成されている。
【００４９】
ハンマカム３０ａ１，３０ａ２は何れも同じ形状に形成され、貫通孔３０ｃの周方向に沿うハンマカム３０ａ１，３０ａ２の中央部ＣＰには円弧部４０ａがそれぞれ設けられている。円弧部４０ａの周方向中心（カム溝の底部であってハンマカム頂部）の位置は中央部ＣＰの位置と略一致している。すなわち、ハンマカム３０ａ１，３０ａ２の周方向に沿う中央部ＣＰは貫通孔３０ｃの軸方向においてハンマカム３０ａ１，３０ａ２の最も後端(図４（ｂ）のハンマカムの内、最も下側に位置する部分）と略一致している。円弧部４０ａは、ハンマ３０の軸方向に沿う減速機２１側（図中下側）に配置されている。また、貫通孔３０ｃの周方向に沿う円弧部４０ａの両側には、ハンマ３０の軸方向に沿うアンビル１８側（図中上側）に向けて延びる傾斜部分４０ｂがそれぞれ設けられている。さらに、各傾斜部分４０ｂの円弧部４０ａ側とは反対側には、ハンマ３０（貫通孔３０ｃ）の軸方向に延びる直線部４０ｃがそれぞれ設けられている。ここで、インパクトドライバ１０の作動中において、各ハンマカム３０ａ１，３０ａ２をスチールボール２９が移動し、第１爪１８ｄ１，１８ｄ２と第２爪３０ｅ１、３０ｅ２が係合するときには各円弧部４０ａの部分にスチールボール２９がそれぞれ位置するようになっている。
【００５０】
貫通孔３０ｃの周方向に沿うハンマカム３０ａ１，３０ａ２の間で、かつ直線部４０ｃに対応する部分には、貫通孔３０ｃの軸方向に沿う寸法が大きい、すなわち貫通孔３０ｃに対して径方向外側に窪んでいない壁部３０ｃ１が設けられている。壁部３０ｃ１は貫通孔３０ｃの周方向に略１８０度ずれた位置に２か所設けられており、２つのハンマカム３０ａ１，３０ａ２を仕切る機能を有する。また、貫通孔３０ｃの周方向に沿うハンマカム３０ａ１，３０ａ２の中央部ＣＰ（ハンマカム頂部）がある部分で、かつ円弧部４０ａに対応する部分には、貫通孔３０ｃの軸方向に沿う寸法が小さい底部３０ｃ２が設けられている。底部３０ｃ２は貫通孔３０ｃの周方向に略１８０度ずれた位置に２か所設けられている。
【００５１】
ここで、貫通孔３０ｃの軸方向に沿う底部３０ｃ２の寸法は、貫通孔３０ｃの軸方向に沿う壁部３０ｃ１の寸法の略１／７の寸法に設定されている。一方、貫通孔３０ｃの周方向に沿う底部３０ｃ２の幅寸法は、貫通孔３０ｃの軸方向一端側（減速機２１側）で、かつ貫通孔３０ｃの周方向に沿う壁部３０ｃ１の幅寸法と略同じ寸法に設定されている。また、貫通孔３０ｃの軸方向他端側（アンビル１８側）で、かつ貫通孔３０ｃの周方向に沿う壁部３０ｃ１の幅寸法は、貫通孔３０ｃの周方向に沿う底部３０ｃ２の幅寸法の略１／４の寸法に設定されている。ここで、図４（ｂ）の符号ＢＰは、貫通孔３０ｃの周方向に沿う壁部３０ｃ１の中央部を示している。
【００５２】
貫通孔３０ｃの周方向に沿う壁部３０ｃ１と底部３０ｃ２との間で壁部３０ｃ１と底部３０ｃ２を繋ぎ、かつ傾斜部分４０ｂに対応する部分には略台形形状に形成された傾斜部（台形形状部）５０（図中網掛部）が設けられている。傾斜部５０は、貫通孔３０ｃの周方向においてハンマカム３０ａ１，３０ａ２のそれぞれの中央部ＣＰ（ハンマカム頂部）に対して対称に２か所（計４か所）設けられている。すなわち、貫通孔３０ｃの周方向に沿って壁部３０ｃ１、傾斜部５０、底部３０ｃ２、傾斜部５０、壁部３０ｃ１が並んで形成されてハンマカム３０ａ１，３０ａ２を構成している。言い換えると、ハンマカム３０ａ１，３０ａ２の中央部ＣＰ（ハンマカム頂部）に対して対称に中央部ＣＰ側から順に底部３０ｃ２、傾斜部５０、壁部３０ｃ１が設けられている。また、傾斜部５０は、アンビル１８の第１爪１８ｄ１，１８ｄ２と、ハンマ３０の第２爪３０ｅ１，３０ｅ２とが係合（衝突）したときに、スピンドル２６の外周部分が押し付けられる押付部（図中網掛部）として機能する。言い換えると、傾斜部５０には、第１爪１８ｄ１，１８ｄ２の何れか一方と第２爪３０ｅ１，３０ｅ２の何れか一方とが片当たり状態で係合する場合に、スピンドル２６が押し付けられるようになっている。貫通孔３０ｃの軸方向に沿う傾斜部５０の寸法は、貫通孔３０ｃの軸方向に沿う壁部３０ｃ１の寸法よりも小さく、貫通孔３０ｃの軸方向に沿う底部３０ｃ２の寸法よりも大きくされている。ここで、底部３０ｃ２の表面積と傾斜部５０の表面積とを比較すると、傾斜部５０の表面積の方が大きく設定されている。これは、傾斜部５０の方が底部３０ｃ２よりもスピンドル２６から受ける荷重を分散できることを意味している。つまり、傾斜部５０の方が底部３０ｃ２よりも単位面積当たりの面圧を小さくできる。
【００５３】
これに対して、壁部３０ｃ１の表面積と傾斜部５０の表面積とを比較すると、傾斜部５０の表面積の方が小さく設定されているが、壁部３０ｃ１には、貫通孔３０ｃの軸方向に沿う直線部４０ｃが設けられている。直線部４０ｃは、スピンドル２６のハンマ３０に対する回転方向と直交しており、直線部４０ｃはスピンドル２６が線接触し得る角部として機能する。つまり、インパクトドライバ１０に抉り力が作用して、直線部４０ｃとスピンドル２６とが線接触すると、当該部分における面圧が大きくなり、当該角部に強い荷重が生じ、よってカジリ現象が発生する虞がある。
【００５４】
したがって、スピンドル２６とハンマ３０とのカジリ現象の発生を抑制するためにも、インパクトドライバ１０に抉り力が作用した場合に、スピンドル２６の外周部分を傾斜部５０（接触面積が大きい部分）に押し付けられるようにするのが望ましい。そこで、本発明においては、ハンマ３０の周方向に沿う第２爪３０ｅ１，３０ｅ２の位置と、貫通孔３０ｃの周方向に沿うハンマカム３０ａ１，３０ａ２の位置とを、スピンドル２６の外周部分が傾斜部５０に押し付けられる位置関係、すなわちハンマ３０とスピンドル２６が傾斜部５０で接触可能な位置関係に設定している。
【００５５】
具体的には、ハンマ３０の対向平面３０ｄに設けた第２爪３０ｅ１，３０ｅ２の頂部ＳＰが貫通孔３０ｃの周方向に沿う傾斜部（押付部）５０の範囲内（図中網掛範囲内）に入るように、第２爪３０ｅ１，３０ｅ２をハンマ３０の周方向に沿う壁部３０ｃ１および底部３０ｃ２からずれた位置に設けている。すなわち、ハンマカム３０ａ１を考えると、貫通孔３０ｃの周方向において一方の傾斜部５０の範囲内に第２爪３０ｅ１の頂部ＳＰが入るようにした場合、他方の傾斜部５０でスピンドル２６を受けるように構成されている。第２爪３０ｅ１の頂部ＳＰから貫通孔３０ｃの周方向で略９０度の位置に傾斜部５０（スピンドル２６が当たる部分）を設けた。ハンマカム３０ａ２についても同様である。なお、第２爪３０ｅ１，３０ｅ２の頂部ＳＰは、第２爪３０ｅ１，３０ｅ２の先細りとなった先端側で、かつハンマ３０の周方向に沿う中央部に設けられている。
【００５６】
ここで、ハンマ３０の対向平面３０ｄ側、つまりアンビル１８側には、図４（ａ）に示すように、ハンマ３０の貫通孔３０ｃに形成したハンマカム３０ａ１，３０ａ２が開口（開口部ＯＰ１，ＯＰ２）している。ハンマカム３０ａ１，３０ａ２の開口部ＯＰ１，ＯＰ２の対向平面３０ｄにおける開口形状は、横断面が略円弧形状に形成されている。ハンマカム３０ａ１，３０ａ２の開口部分（開口部ＯＰ１，ＯＰ２）には、スチールボール２９をハンマカム３０ａ１，３０ａ２に組み込み易くするための窪み部Ｕがそれぞれ設けられている。
【００５７】
図３に示すように、アンビル１８は、略円筒形状に形成された本体部１８ｃを備えている。本体部１８ｃの軸方向に沿うハンマ３０側には、径方向外側に突出された２つの第１爪１８ｄ１，１８ｄ２が一体に設けられている。これらの第１爪１８ｄ１，１８ｄ２は、本体部１８ｃの周方向に沿って１８０度間隔で配置され、軸線Ａと交差する方向に沿う断面形状が略長方形となっている。
【００５８】
第１爪１８ｄ１，１８ｄ２のアンビル１８の周方向に沿う一方側には、第３接触平面ＳＦ３が設けられている。また、第１爪１８ｄ１，１８ｄ２のアンビル１８の周方向に沿う他方側には、第４接触平面ＳＦ４が設けられている。そして、第３接触平面ＳＦ３には、ハンマ３０の第２爪３０ｅ１，３０ｅ２の第２接触平面ＳＦ２が略全面で接触し、第４接触平面ＳＦ４には、ハンマ３０の第２爪３０ｅ１，３０ｅ２の第１接触平面ＳＦ１が略全面で接触するようになっている。
【００５９】
また、アンビル１８の径方向外側でかつ周方向に沿う方向の第１爪１８ｄ１，１８ｄ２の幅寸法は約１５ｍｍに設定されている。つまり、ハンマ３０の第２爪３０ｅ１，３０ｅ２と略同じ幅寸法に設定されている。これにより、アンビル１８の周方向に沿って隣り合う第１爪１８ｄ１，１８ｄ２の間には、ハンマ３０の第２爪３０ｅ１，３０ｅ２が余裕を持って入り込めるようになっている。
【００６０】
次に、インパクトドライバ１０の動作について、図面を用いて詳細に説明する。
【００６１】
電動モータ１２が停止している場合には、コイルばね３２に押圧されているハンマ３０は、アンビル１８に接触して停止している。電動モータ１２に電力が供給されて回転軸１４が回転すると、回転軸１４の回転力は減速機２１のサンギヤ２２に伝達される。サンギヤ２２に回転力が伝達されると、リングギヤ２３が反力要素となって、キャリヤ２５が出力要素となる。すなわち、サンギヤ２２の回転力がキャリヤ２５に伝達され、サンギヤ２２の回転速度に対してキャリヤ２５の回転速度が低速となり、回転力が増幅される。
【００６２】
キャリヤ２５に回転力が伝達されると、スピンドル２６がキャリヤ２５とともに一体回転する。スピンドル２６の回転力は、スチールボール２９を介してハンマ３０に伝達される。ハンマ３０の回転力は、第２爪３０ｅ１，３０ｅ２と第１爪１８ｄ１，１８ｄ２との係合によりアンビル１８に伝達され、これによりアンビル１８が回転される。アンビル１８に伝達された回転力は、先端工具１７を介してねじ（図示せず）に伝達され、当該ねじが、例えば木材等の対象物にねじ込まれる。
【００６３】
先端工具１７を回転させるのに必要となる回転力が低い状態、すなわち低負荷状態においては、第２爪３０ｅ１，３０ｅ２の第１接触平面ＳＦ１と第１爪１８ｄ１，１８ｄ２の第４接触平面ＳＦ４とが接触された状態となる。その後、ねじが木材にねじ込まれて、木材とねじとの摩擦抵抗が増加する等して、先端工具１７を回転させるのに必要となる回転力が高くなると、アンビル１８は停止する。これにより、スチールボール２９が、ハンマカム３０ａ１，３０ａ２およびスピンドルカム２６ｂ１，２６ｂ２の内部を転動し、ひいては図５の矢印Ｍに示すように、ハンマ３０がアンビル１８から離れるよう軸線Ａに沿って移動する。
【００６４】
ここで、スピンドルカム２６ｂ１，２６ｂ２は、図５に示すように略Ｖ字形状に形成され、かつＶ字形状の開口側が減速機２１側（図中左側）に向けられている。よって、スピンドル２６とハンマ３０との相対回転に伴い、スチールボール２９はスピンドルカム２６ｂ１，２６ｂ２の減速機２１側に転動して、ひいてはハンマ３０がコイルばね３２のばね力に抗して減速機２１側に移動する。
【００６５】
これにより、第２爪３０ｅ１，３０ｅ２と第１爪１８ｄ１，１８ｄ２との係合が外れて互いに解放され、ハンマ３０の回転力がアンビル１８に伝達されなくなる。なお、ハンマ３０が後退（アンビル１８から離れる）し過ぎた場合にはハンマ３０の電動モータ１２側（減速機２１側）の端部がストッパ３３に衝突するため、ストッパ３３によってハンマ３０の運動エネルギを吸収することができる。
【００６６】
その後さらに、ハンマ３０の回転が継続されて、第２爪３０ｅ１，３０ｅ２が第１爪１８ｄ１，１８ｄ２を乗り越えると、コイルばね３２のハンマ３０を押圧する力により、スチールボール２９が、ハンマカム３０ａ１，３０ａ２およびスピンドルカム２６ｂ１，２６ｂ２の内部を転動して、ハンマ３０はアンビル１８に対して相対回転しつつ、近接するように移動される。
【００６７】
その後、回転しているハンマ３０の第２爪３０ｅ１，３０ｅ２が、停止しているアンビル１８の第１爪１８ｄ１，１８ｄ２に衝突して、アンビル１８および先端工具１７の回転方向に打撃力が加えられ、ねじを締め付けることができる。ここで、正逆切替レバー１６を操作することで、電動モータ１２の回転方向を逆転させると、上述した動作とは逆方向に打撃力を加えることができる。これにより、締め付けられたねじを緩めることができる。
【００６８】
ここで、ハンマ３０がアンビル１８に打撃力を与えているとき、つまり打撃機構ＳＭが動作しているときに、インパクトドライバ１０の回転軸とねじの回転軸とが一致していないと、インパクトドライバ１０の回転軸には抉り力が作用する。すると、図６（ａ）に示すように、ハンマ３０の軸心ＨＣとスピンドル２６の軸心ＳＣとがずれて、第２爪３０ｅ２の第１接触平面ＳＦ１のみが第１爪１８ｄ２の第４接触平面ＳＦ４に衝突（片当たり）して打撃力Ｆ１が発生する。この瞬間は、ハンマ３０の軸心ＨＣとスピンドル２６の軸心ＳＣとのずれにより、ハンマ３０とスピンドル２６との間には隙間Ｓ１が、第２爪３０ｅ１と第１爪１８ｄ１との間には隙間Ｓ２がそれぞれ形成され、第２爪３０ｅ１の第１接触平面ＳＦ１と第１爪１８ｄ１の第４接触平面ＳＦ４とは衝突しない。そして、その隙間Ｓ１，Ｓ２を無くすために打撃力Ｆ１の反対方向に作用する反力Ｆ２がスピンドル２６に作用して、スピンドル２６が、ハンマカム３０ａ２側にある、貫通孔３０ｃの周方向に沿う壁部３０ｃ１と底部３０ｃ２との間の傾斜部（押付部）５０（図４（ｂ）の網掛部参照）に強く押し付けられる。打撃力Ｆ１と反力Ｆ２は貫通孔３０ｃの周方向に略９０度ずれた位置に作用する。
【００６９】
また、インパクトドライバ１０の使い方によっては、インパクトドライバ１０の回転軸に、図６（ｂ）に示すように抉り力が作用することもある。この場合には、第２爪３０ｅ１の第１接触平面ＳＦ１のみが第１爪１８ｄ１の第４接触平面ＳＦ４に衝突（片当たり）して打撃力Ｆ１が発生する。この瞬間は、ハンマ３０の軸心ＨＣとスピンドル２６の軸心ＳＣとのずれにより、ハンマ３０とスピンドル２６との間には隙間Ｓ３が、第２爪３０ｅ２と第１爪１８ｄ２との間には隙間Ｓ４がそれぞれ形成され、第２爪３０ｅ２の第１接触平面ＳＦ１と第１爪１８ｄ２の第４接触平面ＳＦ４とは衝突しない。そして、打撃力Ｆ１の反対方向に作用する反力Ｆ２がスピンドル２６に作用して、スピンドル２６が、ハンマカム３０ａ１側にある、貫通孔３０ｃの周方向に沿う壁部３０ｃ１と底部３０ｃ２との間の傾斜部（押付部）５０（図４（ｂ）の網掛部参照）に強く押し付けられる。
【００７０】
以上詳述したように、本実施の形態に係るインパクトドライバ１０によれば、貫通孔３０ｃの周方向に沿う一対のハンマカム３０ａ１，３０ａ２の間に設けられる壁部３０ｃ１と、貫通孔３０ｃの周方向に沿うハンマカム３０ａ１，３０ａ２の中央部に設けられる底部３０ｃ２との間に、壁部３０ｃ１よりも貫通孔３０ｃの軸方向に沿う寸法が小さくかつ底部３０ｃ２よりも貫通孔３０ｃの軸方向に沿う寸法が大きく、第１爪１８ｄ１（１８ｄ２）と第２爪３０ｅ１（３０ｅ２）とが係合したときにスピンドル２６が押し付けられる傾斜部５０を設けた。すなわち、スピンドル２６が一方のハンマカムの一方の傾斜部５０に接触するように、ハンマ３０の周方向に沿う第２爪３０ｅ１，３０ｅ２の位置を他方の傾斜部５０の領域内に配置した。一方の傾斜部５０の領域内に第２爪を配置し、第２爪の頂部ＳＰからハンマ３０の周方向で略９０度の位置にスピンドル２６の当接部（他方の傾斜部）を配置した。
【００７１】
これにより、インパクトドライバ１０に抉り力が作用しても、表面積（接触面積）が最も小さい底部３０ｃ２や、角部として機能する直線部４０ｃを備えた壁部３０ｃ１に、スピンドル２６が押し付けられることが無いため、ハンマ３０とスピンドル２６とのカジリ現象を抑制して、インパクトドライバ１０の長期に亘る安定動作を実現できる。
【００７２】
次に、本発明の実施の形態２について、図面を用いて詳細に説明する。なお、上述した実施の形態１と同様の機能を有する部分については同一の記号を付し、その詳細な説明を省略する。
【００７３】
図７は実施の形態２の打撃機構を示す図３に対応した図を、図８（ａ），（ｂ），（ｃ）は図７の打撃機構を軸方向から見た動作説明図をそれぞれ示している。
【００７４】
図７および図８に示すように、実施の形態２においては、実施の形態１に比して、打撃機構ＳＭの構造のみが異なっている。実施の形態２の打撃機構ＳＭのハンマ（打撃部材）１３０には、３つの第２爪１３０ｅ１，１３０ｅ２，１３０ｅ３が設けられている。これらの第２爪１３０ｅ１，１３０ｅ２，１３０ｅ３は、対向平面３０ｄの周方向に沿って１２０度間隔で配置され、実施の形態１と同様に、軸線Ａと交差する方向に沿う断面形状が略扇形となっている。
【００７５】
第２爪１３０ｅ１，１３０ｅ２，１３０ｅ３のハンマ１３０の周方向に沿う一方側には、第１接触平面ＳＦ１が設けられている。また、第２爪１３０ｅ１，１３０ｅ２，１３０ｅ３のハンマ１３０の周方向に沿う他方側には、第２接触平面ＳＦ２が設けられている。そして、第１接触平面ＳＦ１には、後述のアンビル（出力部材）１１８の第１爪１１８ｄ１，１１８ｄ２，１１８ｄ３の第４接触平面ＳＦ４が略全面で接触し、第２接触平面ＳＦ２には、アンビル１１８の第１爪１１８ｄ１，１１８ｄ２，１１８ｄ３の第３接触平面ＳＦ３が略全面で接触するようになっている。
【００７６】
また、ハンマ１３０の径方向外側でかつ周方向に沿う方向の第２爪１３０ｅ１，１３０ｅ２，１３０ｅ３の幅寸法は約１０ｍｍに設定されている。これにより、ハンマ１３０の周方向に沿って隣り合う第２爪１３０ｅ１，１３０ｅ２，１３０ｅ３の間には、アンビル１１８の第１爪１１８ｄ１，１１８ｄ２，１１８ｄ３が余裕を持って入り込めるようになっている。
【００７７】
アンビル１１８の本体部１８ｃの軸方向に沿うハンマ１３０側には、径方向外側に突出された３つの第１爪１１８ｄ１，１１８ｄ２，１１８ｄ３が一体に設けられている。第１爪１１８ｄ１，１１８ｄ２，１１８ｄ３は、本体部１８ｃの周方向に沿って１２０度間隔で配置され、軸線Ａと交差する方向に沿う断面形状が略長方形となっている。
【００７８】
第１爪１１８ｄ１，１１８ｄ２，１１８ｄ３のアンビル１１８の周方向に沿う一方側には、第３接触平面ＳＦ３が設けられている。また、第１爪１１８ｄ１，１１８ｄ２，１１８ｄ３のアンビル１１８の周方向に沿う他方側には、第４接触平面ＳＦ４が設けられている。そして、第３接触平面ＳＦ３には、ハンマ１３０の第２爪１３０ｅ１，１３０ｅ２，１３０ｅ３の第２接触平面ＳＦ２が略全面で接触し、第４接触平面ＳＦ４には、ハンマ１３０の第２爪１３０ｅ１，１３０ｅ２，１３０ｅ３の第１接触平面ＳＦ１が略全面で接触するようになっている。
【００７９】
また、アンビル１１８の径方向外側でかつ周方向に沿う方向の第１爪１１８ｄ１，１１８ｄ２，１１８ｄ３の幅寸法は約１０ｍｍに設定されている。つまり、ハンマ１３０の第２爪１３０ｅ１，１３０ｅ２，１３０ｅ３と略同じ幅寸法に設定されている。これにより、アンビル１１８の周方向に沿って隣り合う第１爪１１８ｄ１，１１８ｄ２，１１８ｄ３の間には、ハンマ１３０の第２爪１３０ｅ１，１３０ｅ２，１３０ｅ３が余裕を持って入り込めるようになっている。
【００８０】
ここで、ハンマ１３０に設けた２つのハンマカム３０ａ１，３０ａ２の位置と、ハンマ１３０に設けた３つの第２爪１３０ｅ１，１３０ｅ２，１３０ｅ３の位置とは、以下に示すような位置関係に設定されている。つまり、３つの第２爪１３０ｅ１，１３０ｅ２，１３０ｅ３のうちの２つの第２爪１３０ｅ１，１３０ｅ３は、ハンマ１３０の周方向に沿う壁部３０ｃ１および底部３０ｃ２（図４（ｂ）参照）からずれた位置に設けられている。つまり、第２爪１３０ｅ１，１３０ｅ３の頂部ＳＰは、貫通孔３０ｃの周方向に沿う傾斜部５０の範囲内（図４（ｂ）の網掛部参照）に入っている。これに対して、３つの第２爪１３０ｅ１，１３０ｅ２，１３０ｅ３のうちの１つの第２爪１３０ｅ２は、ハンマ１３０の周方向に沿う壁部３０ｃ１がある位置に設けられている。
【００８１】
そして、インパクトドライバ１０の回転軸に抉り力が作用すると、図８（ａ）に示すように、ハンマ１３０の軸心ＨＣとスピンドル２６の軸心ＳＣとがずれて、第２爪１３０ｅ１の第１接触平面ＳＦ１のみが第１爪１１８ｄ１の第４接触平面ＳＦ４に衝突（片当たり）して打撃力Ｆ１が発生する。この瞬間は、ハンマ１３０の軸心ＨＣとスピンドル２６の軸心ＳＣとのずれにより、ハンマ１３０とスピンドル２６との間には隙間Ｓ５が、第２爪１３０ｅ２と第１爪１１８ｄ２との間には隙間Ｓ６が、第２爪１３０ｅ３と第１爪１１８ｄ３との間には隙間Ｓ７がそれぞれ形成される。そして、打撃力Ｆ１の反対方向に作用する反力Ｆ２がスピンドル２６に作用して、スピンドル２６が、ハンマカム３０ａ２側にある、貫通孔３０ｃの周方向に沿う壁部３０ｃ１と底部３０ｃ２との間の傾斜部５０（図４（ｂ）の網掛部参照）に強く押し付けられる。
【００８２】
図８（ｂ）は、ハンマ１３０の軸心ＨＣとスピンドル２６の軸心ＳＣとがずれて、第２爪１３０ｅ２の第１接触平面ＳＦ１のみが第１爪１１８ｄ２の第４接触平面ＳＦ４に衝突（片当たり）して打撃力Ｆ１が発生した場合を示している。この瞬間は、ハンマ１３０の軸心ＨＣとスピンドル２６の軸心ＳＣとのずれにより、ハンマ１３０とスピンドル２６との間には隙間Ｓ８が、第２爪１３０ｅ３と第１爪１１８ｄ３との間には隙間Ｓ９が、第２爪１３０ｅ１と第１爪１１８ｄ１との間には隙間Ｓ１０がそれぞれ形成される。そして、打撃力Ｆ１の反対方向に作用する反力Ｆ２がスピンドル２６に作用して、スピンドル２６が、ハンマカム３０ａ１側にある、貫通孔３０ｃの周方向に沿う底部３０ｃ２（図４（ｂ）参照）に強く押し付けられる。
【００８３】
ここで、図８（ｂ）の場合においては、スピンドル２６は底部３０ｃ２に押し付けられるが、当該パターンは図８（ａ），（ｂ），（ｃ）の３通りのパターンのうちの１つのパターンであり、２つのパターンは傾斜部５０に押し付けられる構成となっている。したがって、従前に比して十分にカジリ現象を抑制することができる。
【００８４】
図８（ｃ）は、ハンマ１３０の軸心ＨＣとスピンドル２６の軸心ＳＣとがずれて、第２爪１３０ｅ３の第１接触平面ＳＦ１のみが第１爪１１８ｄ３の第４接触平面ＳＦ４に衝突（片当たり）して打撃力Ｆ１が発生した場合を示している。この瞬間は、ハンマ１３０の軸心ＨＣとスピンドル２６の軸心ＳＣとのずれにより、ハンマ１３０とスピンドル２６との間には隙間Ｓ１１が、第２爪１３０ｅ１と第１爪１１８ｄ１との間には隙間Ｓ１２が、第２爪１３０ｅ２と第１爪１１８ｄ２との間には隙間Ｓ１３がそれぞれ形成される。そして、打撃力Ｆ１の反対方向に作用する反力Ｆ２がスピンドル２６に作用して、スピンドル２６が、ハンマカム３０ａ２側にある、貫通孔３０ｃの周方向に沿う壁部３０ｃ１と底部３０ｃ２との間の傾斜部５０（図４（ｂ）の網掛部参照）に強く押し付けられる。
【００８５】
以上のように形成した実施の形態２においても、上述した実施の形態１と同様の作用効果を奏することができる。これに加えて、実施の形態２においては、第１爪および第２爪をそれぞれ３つずつ設けたので、打撃効率を向上させることができ、ひいては作業時間の短縮等を図ることが可能となる。
【００８６】
次に、本発明の実施の形態３について、図面を用いて詳細に説明する。なお、上述した実施の形態２と同様の機能を有する部分については同一の記号を付し、その詳細な説明を省略する。
【００８７】
図９（ａ），（ｂ），（ｃ）は実施の形態３の打撃機構を軸方向から見た動作説明図を示している。
【００８８】
図９に示すように、実施の形態３においては、実施の形態２に比して、ハンマ（打撃部材）２３０に設けた２つのハンマカム３０ａ１，３０ａ２の位置と、ハンマ２３０に設けた３つの第２爪１３０ｅ１，１３０ｅ２，１３０ｅ３の位置との関係が若干異なっている。具体的には、３つの第２爪１３０ｅ１，１３０ｅ２，１３０ｅ３の全てを、それぞれハンマ２３０の周方向に沿う壁部３０ｃ１および底部３０ｃ２（図４参照）からずれた位置に設けている。
【００８９】
そして、実施の形態３においても、スピンドル２６がハンマ２３０に対して押し付けられるパターンは、図９（ａ），（ｂ），（ｃ）に示す３通りとなっている。ここで、図９（ａ），（ｂ）に示す２つのパターンが、スピンドル２６が貫通孔３０ｃの周方向に沿う壁部３０ｃ１と底部３０ｃ２との間の傾斜部５０（図４（ｂ）の網掛部参照）にそれぞれ強く押し付けられるパターンとなっている。一方、図９（ｃ）に示すパターンが、スピンドル２６が貫通孔３０ｃの周方向に沿うハンマカム３０ａ１，３０ａ２の間にある壁部３０ｃ１（図４（ｂ）参照）に強く押し付けられるパターンとなっている。このように、図９（ａ），（ｂ），（ｃ）に示す３通りのパターンのうち、図９（ｃ）に示すパターンのみが好ましくないパターンとなっているが、当該パターンは図９（ａ），（ｂ），（ｃ）の３通りのパターンのうちの２つのパターンが傾斜部５０に押し付けられる構成となっている。
【００９０】
以上のように形成した実施の形態３においても、上述した実施の形態２と同様の作用効果を奏することができる。
【００９１】
次に、本発明の実施の形態４について、図面を用いて詳細に説明する。なお、上述した実施の形態１ないし３と同様の機能を有する部分については同一の記号を付し、その詳細な説明を省略する。また、各部の形状や寸法も上述した実施の形態と同じであるため説明を省略する。
【００９２】
図１０はハンマの貫通孔の展開図を示す図４（ｂ）に対応した図を、図１１（ａ），（ｂ）は図３の打撃機構に図１０のハンマを適用した打撃機構を軸方向から見た動作説明図をそれぞれ示している。
【００９３】
図１０に示すハンマ３０は、２つのハンマカム３０ａ１，３０ａ２の中央部ＣＰに対する第２爪３０ｅ１，３０ｅ２の位置、及びスチールボール２９が追加されている点が図４（ｂ）と異なっており、その他の構造及び機能は図４（ｂ）と同一である。具体的には、図１０に示すように、ハンマ３０の第２爪３０ｅ１，３０ｅ２は中央部ＣＰに対して図中右側に位置している。また、２つのハンマカム３０ａ１，３０ａ２の円弧部４０ａにはそれぞれスチールボール２９が配置されている。なお、図４（ｂ）ではスチールボール２９を省略している。
【００９４】
図３に示すように、アンビル１８は、略円筒形状に形成された本体部１８ｃを備えている。本体部１８ｃの軸方向に沿うハンマ３０側には、略円板状に形成された重複部１８ｅが一体に設けられている。重複部１８ｅの直径寸法ｄ１は、一対の開口部ＯＰ１，ＯＰ２の径方向外側を結んだ距離ｄ２（図１１（ａ）参照）よりも若干小さい寸法に設定されている（ｄ１＜ｄ２）。これにより、ハンマ３０とアンビル１８とを組み付けた状態のもとで、重複部１８ｅは、スピンドル２６の軸方向から各開口部ＯＰ１，ＯＰ２の半分以上と重なり、かつスチールボール２９と重なるようになっている。これにより、図１１の網掛部分に示すように、従来と比較し各開口部ＯＰ１，ＯＰ２の開口面積Ｓ１を小さくすることができる。
【００９５】
重複部１８ｅには、本体部１８ｃを中心に対向するようにして、２つの第１爪１８ｄ１，１８ｄ２が一体に設けられている。第１爪１８ｄ１，１８ｄ２は、重複部１８ｅの径方向外側に突出して設けられ、重複部１８ｅの周方向に沿って１８０度間隔で配置されている。第１爪１８ｄ１，１８ｄ２の軸線Ａと交差する方向に沿う断面形状は、略長方形となっている。ここで、図１１においては、重複部１８ｅと第１爪１８ｄ１，１８ｄ２との境界部分に一点鎖線を記載している。
【００９６】
ここで、図１１（ａ）に示すように、正回転時に第１爪１８ｄ１，１８ｄ２と第２爪３０ｅ１，３０ｅ２が係合（接触）した状態おいて、スピンドル２６の軸方向から見て第１爪１８ｄ１，１８ｄ２がハンマカム３０ａ１，３０ａ２の中央部ＣＰと重なった位置に位置している。すなわち、重複部１８ｅはスピンドル２６の軸方向から見て各開口部ＯＰ１，ＯＰ２の半分以上と重なっているだけでなく、第１爪１８ｄ１，１８ｄ２によって各開口部ＯＰ１，ＯＰ２を塞いでいる。更に、第１爪１８ｄ１，１８ｄ２はスピンドル２６の軸方向から見てスチールボール２９とも重なっている。これにより、各開口部ＯＰ１，ＯＰ２の開口面積Ｓ１をより一層小さくすることができるため、開口部ＯＰ１，ＯＰ２からのグリス漏れを抑制することができ、また、スチールボール２９が開口部ＯＰ１，ＯＰ２から脱落することも抑制することができる。
【００９７】
すなわち、インパクトドライバ１０でねじ締め作業を行っているとき、スチールボール２９には、ハンマカム３０ａ１，３０ａ２およびスピンドルカム２６ｂ１，２６ｂ２の内部の転動に伴って多くのグリスが付着する。そして、グリスが付着したスチールボール２９は、スピンドルカム２６ｂ１，２６ｂ２の内部をアンビル１８側に向けて勢い良く移動する。また、スチールボール２９は、壁部３０ｃ１側からハンマカム３０ａ１，３０ａ２の底部３０ｃ２に向けて勢い良く移動する。これにより、スチールボール２９がハンマカム３０ａ１，３０ａ２の底部３０ｃ２に溜まっているグリスをＯＰ１，ＯＰ２に押し出すと共に、スチールボール２９に付着したグリスがハンマカム３０ａ１，３０ａ２の開口部ＯＰ１，ＯＰ２に到達して、その後ハンマ３０の外部に漏れ出ようとする。
【００９８】
しかしながら本実施の形態においては、図１１（ａ）に示すように、開口部ＯＰ１，ＯＰ２の半分以上が、アンビル１８に設けた重複部１８ｅと重なっている。さらに、ねじ締め作業等を行う場合の「正回転」の時には、第１爪１８ｄ１，１８ｄ２と第２爪３０ｅ１，３０ｅ２とが係合した状態のもとで、第１爪１８ｄ１，１８ｄ２は、スピンドル２６（アンビル１８）の軸方向から見てスチールボール２９と重なっている。更には、ハンマカム３０ａ１，３０ａ２の中央部ＣＰ（ハンマカム３０ａ１，３０ａ２の底部３０ｃ２の頂部）と重なっている。これにより、スチールボール２９に付着したグリス又はスチールボール２９によって押し出されたグリスがハンマカム３０ａ１，３０ａ２の開口部ＯＰ１，ＯＰ２からハンマ３０の外部に漏出するのが抑制される。また、スチールボール２９が開口部ＯＰ１，ＯＰ２から脱落することも抑制できる。
【００９９】
なお、正逆切替レバー１６を操作することで、電動モータ１２の回転方向を逆転させると、上述した動作とは逆方向に打撃力を加えることができる。これにより、締め付けられたねじを緩めることができる。この場合においては、図１１（ｂ）に示すように、第２爪３０ｅ２の第２接触平面ＳＦ２と第１爪１８ｄ１の第３接触平面ＳＦ３とが接触された状態となり、第２爪３０ｅ１の第２接触平面ＳＦ２と第１爪１８ｄ２の第３接触平面ＳＦ３とが接触された状態となる。ねじ緩め作業等を行う場合の「逆回転」の時には、第１爪１８ｄ１，１８ｄ２は、スピンドル２６の軸方向からスチールボール２９と重ならないが、開口部ＯＰ１，ＯＰ２の半分以上が重複部１８ｅと重なっている。よって、ねじ締め作業等を行う場合の「正回転」の時と略同様に、スチールボール２９に付着したグリスのハンマ３０の外部への漏出を抑制できる。
【０１００】
ここで、ねじ緩め作業等を行う場合の「逆回転」の時は、ねじ締め作業等を行う場合の「正回転」の時に比して、開口部ＯＰ１，ＯＰ２を覆う部分が小さくなる。つまり、開口面積Ｓ２が若干大きくなる（Ｓ２＞Ｓ１）。しかしながら、インパクトドライバ１０の使い方としては、ねじ緩め作業時の打撃動作の方がねじ締め作業等の打撃動作に比して遙かに少ない。よって、「正回転」の時と「逆回転」の時とで生じる開口部ＯＰ１，ＯＰ２の開口面積の差は、本実施の形態においては殆ど問題とならない。
【０１０１】
以上詳述したように、本実施の形態に係るインパクトドライバ１０によれば、アンビル１８のハンマ３０側に、スピンドル２６の軸方向からハンマカム３０ａ１，３０ａ２の開口部ＯＰ１，ＯＰ２と重なる重複部１８ｅを設けたので、第１爪１８ｄ１，１８ｄ２と第２爪３０ｅ１，３０ｅ２とが係合して打撃動作をした場合において、スチールボール２９に付着したグリスの外部への漏出を抑制することができる。これにより、インパクトドライバ１０の長期に亘る安定動作を実現できる。
【０１０２】
また、本実施の形態に係るインパクトドライバ１０によれば、ねじ締め作業等を行う場合の「正回転」の時に、第１爪１８ｄ１，１８ｄ２と第２爪３０ｅ１，３０ｅ２とが係合した状態のもとで、第１爪１８ｄ１，１８ｄ２は、スピンドル２６の軸方向から見てハンマカム３０ａ１，３０ａ２の中央部ＣＰと重なっており、言い換えると、スチールボール２９と重なる。したがって、インパクトドライバ１０として最も多い使い方の「ねじ締め作業等」において、スチールボール２９に付着したグリスがハンマカム３０ａ１，３０ａ２の開口部ＯＰ１，ＯＰ２からハンマ３０の外部に漏出するのを、効果的に抑制することができる。また、開口部ＯＰ１，ＯＰ２からのスチールボール２９の脱落を一層抑制することができる。
【０１０３】
次に、本発明の実施の形態５について、図面を用いて詳細に説明する。なお、上述した実施の形態１ないし４と同様の機能を有する部分については同一の記号を付し、その詳細な説明を省略する。
【０１０４】
図１２（ａ），（ｂ）は実施の形態５の打撃機構を示す図１１の対応図を示している。
【０１０５】
図１２に示すように、実施の形態５においては、実施の形態１に比して、打撃機構ＳＭを形成するハンマ（打撃部材）１３０およびアンビル（出力部材）１１８の構造のみが異なっている。具体的には、アンビル１１８に設けた重複部１１８ａの直径寸法ｄ３が、一対の開口部ＯＰ１，ＯＰ２の径方向外側を結んだ距離ｄ２よりも若干大きい寸法に設定されている（ｄ３＞ｄ２）。また、重複部１１８ａの直径寸法ｄ３の大径化に伴い、ハンマ１３０に設ける第２爪１３０ｅ１，１３０ｅ２の径方向寸法（重複部１１８ａから径方向外側への突出寸法）ｔを、実施の形態４（図１１参照）に比して薄くしている。つまり、実施の形態２においては、重複部１１８ａが、スピンドル２６（アンビル１１８）の軸方向から各開口部ＯＰ１，ＯＰ２の全体と重なっている。
【０１０６】
以上のように形成した実施の形態５においても、上述した実施の形態４と略同様の作用効果を奏することができる。これに加えて、実施の形態５においては、重複部１１８ａが各開口部ＯＰ１，ＯＰ２の全体と重なるため、スチールボール２９に付着したグリスの外部への漏出をより確実に抑制することができる。ただし、第２爪１３０ｅ１，１３０ｅ２の十分な剛性を確保するために、実施の形態４に比して、ハンマ１３０の剛性を高めるのが望ましい。また、実施の形態５の重複部１１８ａは実施の形態４の重複部１８ｅに比して大きく（重く）なっているため、電動モータ１２を起動したときの電動モータ１２の目標回転速度までの立ち上がり速度は遅くなってしまう。しかしながら、慣性が大きいため、電動モータ１２を停止した後も慣性力で回転し続けることができ、結果として実施の形態４と同程度のねじ締めを行うことができる。
【０１０７】
次に、本発明の実施の形態６について、図面を用いて詳細に説明する。なお、上述した実施の形態４と同様の機能を有する部分については同一の記号を付し、その詳細な説明を省略する。
【０１０８】
図１３は実施の形態６の打撃機構の分解斜視図を、図１４（ａ），（ｂ）は図１３の打撃機構を軸方向から見た動作説明図をそれぞれ示している。なお、図１３の打撃機構は図７の打撃機構と同様の機能（構造）を有していが、便宜上、ハンマに異なる記号を付している。
【０１０９】
図１３および図１４に示すように、実施の形態６においては、実施の形態４に比して、打撃機構ＳＭを形成するハンマ（打撃部材）２３０およびアンビル（出力部材）２１８の構造のみが異なっている。具体的には、ハンマ２３０には、３つの第２爪２３０ｅ１，２３０ｅ２，２３０ｅ３が設けられている。これらの第２爪２３０ｅ１，２３０ｅ２，２３０ｅ３は、対向平面３０ｄの周方向に沿って１２０度間隔で配置されている。
【０１１０】
第２爪２３０ｅ１，２３０ｅ２，２３０ｅ３のハンマ２３０の周方向に沿う一方側には、第１接触平面ＳＦ１が設けられている。また、第２爪２３０ｅ１，２３０ｅ２，２３０ｅ３のハンマ２３０の周方向に沿う他方側には、第２接触平面ＳＦ２が設けられている。そして、第１接触平面ＳＦ１には、アンビル２１８の第１爪２１８ｄ１，２１８ｄ２，２１８ｄ３の第４接触平面ＳＦ４が略全面で接触し、第２接触平面ＳＦ２には、アンビル２１８の第１爪２１８ｄ１，２１８ｄ２，２１８ｄ３の第３接触平面ＳＦ３が略全面で接触するようになっている。
【０１１１】
また、ハンマ２３０の径方向外側でかつ周方向に沿う方向の第２爪２３０ｅ１，２３０ｅ２，２３０ｅ３の幅寸法は約１０ｍｍに設定されている。これにより、ハンマ２３０の周方向に沿って隣り合う第２爪２３０ｅ１，２３０ｅ２，２３０ｅ３の間には、アンビル２１８の第１爪２１８ｄ１，２１８ｄ２，２１８ｄ３が余裕を持って入り込めるようになっている。
【０１１２】
アンビル２１８の重複部１８ｅには、径方向外側に突出された３つの第１爪２１８ｄ１，２１８ｄ２，２１８ｄ３が一体に設けられている。第１爪２１８ｄ１，２１８ｄ２，２１８ｄ３は、重複部１８ｅの周方向に沿って１２０度間隔で配置されている。
【０１１３】
第１爪２１８ｄ１，２１８ｄ２，２１８ｄ３のアンビル２１８の周方向に沿う一方側には、第３接触平面ＳＦ３が設けられている。また、第１爪２１８ｄ１，２１８ｄ２，２１８ｄ３のアンビル２１８の周方向に沿う他方側には、第４接触平面ＳＦ４が設けられている。そして、第３接触平面ＳＦ３には、ハンマ２３０の第２爪２３０ｅ１，２３０ｅ２，２３０ｅ３の第２接触平面ＳＦ２が略全面で接触し、第４接触平面ＳＦ４には、ハンマ２３０の第２爪２３０ｅ１，２３０ｅ２，２３０ｅ３の第１接触平面ＳＦ１が略全面で接触するようになっている。
【０１１４】
また、アンビル２１８の径方向外側でかつ周方向に沿う方向の第１爪２１８ｄ１，２１８ｄ２，２１８ｄ３の幅寸法は約１０ｍｍに設定されている。つまり、ハンマ２３０の第２爪２３０ｅ１，２３０ｅ２，２３０ｅ３と略同じ幅寸法に設定されている。これにより、アンビル２１８の周方向に沿って隣り合う第１爪２１８ｄ１，２１８ｄ２，２１８ｄ３の間には、ハンマ２３０の第２爪２３０ｅ１，２３０ｅ２，２３０ｅ３が余裕を持って入り込めるようになっている。
【０１１５】
ここで、ハンマ２３０に設けた２つのハンマカム３０ａ１，３０ａ２の位置と、ハンマ２３０に設けた３つの第２爪２３０ｅ１，２３０ｅ２，２３０ｅ３の位置とは、以下に示すような位置関係に設定されている。つまり、３つの第２爪２３０ｅ１，２３０ｅ２，２３０ｅ３のうちの２つの第２爪２３０ｅ１，２３０ｅ３は、ハンマ２３０の周方向に沿う壁部３０ｃ１および底部３０ｃ２（図１０参照）からずれた位置に設けられている。つまり、第２爪２３０ｅ１，２３０ｅ３の頂部ＳＰは、貫通孔３０ｃの周方向に沿う傾斜部５０の範囲内（図１０参照）に入っている。これに対して、３つの第２爪２３０ｅ１，２３０ｅ２，２３０ｅ３のうちの１つの第２爪２３０ｅ２は、ハンマ１３０の周方向に沿う壁部３０ｃ１がある位置に設けられている。
【０１１６】
そして、図１４（ａ）に示すように、ねじ締め作業等を行う場合の「正回転」の時には、第１爪２１８ｄ１，２１８ｄ２，２１８ｄ３と、第２爪２３０ｅ１，２３０ｅ２，２３０ｅ３とが係合した状態のもとで、第１爪２１８ｄ１は、スピンドル２６（アンビル２１８）の軸方向からスチールボール２９と重なっている。これにより、スチールボール２９に付着したグリスがハンマカム３０ａ１の開口部ＯＰ１からハンマ２３０の外部に漏出するのが抑制される。このときの開口部ＯＰ１，ＯＰ２の合計の開口面積（図中網掛部分）はＳ３となっている。
【０１１７】
また、ねじ緩め作業等を行う場合の「逆回転」の時には、第１爪２１８ｄ１，２１８ｄ２，２１８ｄ３と、第２爪２３０ｅ１，２３０ｅ２，２３０ｅ３とが係合した状態のもとで、第１爪２１８ｄ２は、スピンドル２６の軸方向からスチールボール２９と重なっている。これにより、スチールボール２９に付着したグリスがハンマカム３０ａ２の開口部ＯＰ２からハンマ２３０の外部に漏出するのが抑制される。このときの開口部ＯＰ１，ＯＰ２の合計の開口面積についても「正回転」の時と同様にＳ３となっている。
【０１１８】
以上のように形成した実施の形態６においても、上述した実施の形態４と略同様の作用効果を奏することができる。これに加えて、実施の形態６においては、ねじ締め作業等を行う場合の「正回転」の時と、ねじ緩め作業等を行う場合の「逆回転」の時とで、開口部ＯＰ１，ＯＰ２の合計の開口面積を同じＳ３にすることができる。したがって、「正回転」，「逆回転」に依らず、スチールボール２９に付着したグリスの外部への漏出を効果的に抑制することができる。また、実施の形態６においては、第１爪および第２爪をそれぞれ３つずつ設けたので、打撃効率を向上させることができ、ひいては作業時間の短縮等を図ることが可能となる。
【０１１９】
次に、本発明の実施の形態７について、図面を用いて詳細に説明する。なお、上述した実施の形態６と同様の機能を有する部分については同一の記号を付し、その詳細な説明を省略する。
【０１２０】
図１５（ａ），（ｂ）は実施の形態７の打撃機構を示す図１１の対応図である。
【０１２１】
図１５に示すように、実施の形態７においては、実施の形態６に比して、打撃機構ＳＭを形成するハンマ（打撃部材）３３０およびアンビル（出力部材）３１８の構造のみが異なっている。具体的には、アンビル３１８に設けた重複部３１８ａの直径寸法ｄ４が、一対の開口部ＯＰ１，ＯＰ２の径方向外側を結んだ距離ｄ２よりも若干大きい寸法に設定されている（ｄ４＞ｄ２）。また、重複部３１８ａの直径寸法ｄ４の大径化に伴い、ハンマ３３０に設ける第２爪３３０ｅ１，３３０ｅ２，３３０ｅ３の径方向寸法（厚み寸法）Ｔを、実施の形態６（図１４参照）に比して薄くしている。つまり、実施の形態７においては、重複部３１８ａが、スピンドル２６（アンビル３１８）の軸方向から各開口部ＯＰ１，ＯＰ２の全体と重なっている。
【０１２２】
以上のように形成した実施の形態７においても、上述した実施の形態６と略同様の作用効果を奏することができる。これに加えて、実施の形態７においては、重複部３１８ａが各開口部ＯＰ１，ＯＰ２の全体と重なるため、スチールボール２９に付着したグリスの外部への漏出をより確実に抑制することができる。ただし、第２爪３３０ｅ１，３３０ｅ２，３３０ｅ３の十分な剛性を確保するために、実施の形態３に比して、ハンマ３３０の剛性を高めるのが望ましい。
【０１２３】
本発明は上記各実施の形態に限定されるものではなく、その要旨を逸脱しない範囲で種々変更可能であることは言うまでもない。例えば、本発明の打撃工具は、上述したインパクトドライバ１０の他に、インパクトレンチ等を包含する。また、本発明の打撃工具は、交流電源の電力を、電池パック１１を介さずに電動モータ１２に供給し得る構造を包含する。さらに、本発明の打撃工具は、電池パック１１の電力、交流電源の電力を切り替えて電動モータ１２に供給可能な構造を包含する。
【０１２４】
さらに、本発明の駆動源は、上述した電動モータ１２の他に、エンジン，空気圧モータ，油圧モータ等を包含する。エンジンは、燃料を燃焼させて発生した熱エネルギを運動エネルギに変換する動力源であって、例えば、ガソリンエンジンやディーゼルエンジン，さらには液化石油ガスエンジンを包含する。電動モータ１２は、ブラシ付きモータやブラシレスモータ等を包含する。さらに、本発明の打撃工具は、アンビル１８，１１８，２１８，３１８に先端工具１７が直接取り付けられる構造に加えて、アンビルにソケットやアダプタ等を介して先端工具が取り付けられる構造も包含する。
【符号の説明】
【０１２５】
１０…インパクトドライバ（打撃工具）、１１…電池パック、１２…電動モータ、１３…ケーシング、１４…回転軸、１５…トリガスイッチ、１６…正逆切替レバー、１７…先端工具、１８…アンビル（出力部材）、１８ａ…保持孔、１８ｂ…取付孔、１８ｃ…本体部、１８ｄ１，１８ｄ２…第１爪、１８ｅ…重複部、１９…スリーブ、２０…着脱機構、２１…減速機、２２…サンギヤ、２３…リングギヤ、２４…プラネタリギヤ、２５…キャリヤ、２６…スピンドル（回転部材）、２６ａ…軸部、２６ｂ１，２６ｂ２…スピンドルカム、２７…ホルダ部材、２８…軸受、２９…スチールボール、３０…ハンマ（打撃部材）、３０ａ１，３０ａ２…ハンマカム（カム溝）、３０ｂ…本体部、３０ｃ…貫通孔、３０ｃ１…壁部、３０ｃ２…底部、３０ｄ…対向平面、３０ｅ１，３０ｅ２…第２爪、３１…環状プレート、３２…コイルばね、３３…ストッパ、４０ａ…円弧部、４０ｂ…傾斜部分（傾斜部）、４０ｃ…直線部、５０…傾斜部（押付部、台形形状部）、１１８…アンビル（出力部材）、１１８ａ…重複部、１１８ｄ１，１１８ｄ２，１１８ｄ３…第１爪、１３０…ハンマ（打撃部材）、１３０ｅ１，１３０ｅ２，１３０ｅ３…第２爪、２１８…アンビル（出力部材）、２１８ｄ１，２１８ｄ２，２１８ｄ３…第１爪、２３０…ハンマ（打撃部材）、２３０ｅ１，２３０ｅ２，２３０ｅ３…第２爪、３１８…アンビル（出力部材）、３１８ａ…重複部、３３０…ハンマ（打撃部材）、３３０ｅ１，３３０ｅ２，３３０ｅ３…第２爪、ＢＰ…壁部の中央部、ＣＰ…ハンマカムの中央部、ＳＰ…第２爪の頂部、ＯＰ１，ＯＰ２…開口部、ＳＦ１…第１接触平面、ＳＦ２…第２接触平面、ＳＦ３…第３接触平面、ＳＦ４…第４接触平面、ＳＭ…打撃機構、Ｕ…窪み部
【図１】
2016017545.tif 000003
【図２】
2016017545.tif 000004
【図３】
2016017545.tif 000005
【図４】
2016017545.tif 000006
【図５】
2016017545.tif 000007
【図６】
2016017545.tif 000008
【図７】
2016017545.tif 000009
【図８】
2016017545.tif 000010
【図９】
2016017545.tif 000011
【図１０】
2016017545.tif 000012
【図１１】
2016017545.tif 000013
【図１２】
2016017545.tif 000014
【図１３】
2016017545.tif 000015
【図１４】
2016017545.tif 000016
【図１５】
2016017545.tif 000017
【図１６】
2016017545.tif 000018
【図１７】
2016017545.tif 000019
【図１８】
2016017545.tif 000020
【国際調査報告】
2016017545.tif 000021
2016017545.tif 000022
2016017545.tif 000023
2016017545.tif 000024